(57)【要約】    【課題】上下幅の縮小が可能であって、しかも仮止め状態での落下が確実に防止できる押縁を有するカーテンウォールを提供する。    【解決手段】パネル１Ａを左右の縦枠および上下のよくまたは無目により囲み、パネル１Ａの下側を受ける無目３Ａまたは横枠の室外側に、室外側が開口（２０）された空洞部２１を形成する。空洞部２１は、その底部内面２１ｂの室外側に上方に突出した係止受部２１ｃを有する。パネル１Ａの下辺を押さえる押縁１２に、空洞部２１への嵌入部２２を室内側に突出させ曲げて形成する。嵌入部２２の下面に下方に突出した係止突起２２ｄを設ける。押縁１２が斜めとなり嵌入部２２が空洞部２１へ嵌入された仮止め状態において、係止突起２２ｄが係止受部２１ｃに係止されて押縁１２が外れ止めされる。【選択図】図４
2006291624.tif 000002
【特許請求の範囲】
【請求項１】
パネルを左右の縦枠および上下の横枠または無目により囲み、パネルの下側を受ける横枠または無目の室外側に、室外側が開口された空洞部を形成し、
前記空洞部は、その底部内面の室外側に上方に突出した係止受部を有し、
パネルの下辺を室外側から押さえる押縁に、前記空洞部への嵌入部を室内側に突出させ、かつ先端が斜め上向きとなるように曲げた形に形成し、
前記嵌入部の下面に下方に突出した係止突起を設け、
前記押縁が斜めとなり前記嵌入部が前記空洞部へ嵌入された仮止め状態において前記係止突起が前記係止受部に係止されて押縁が外れ止めされる
ことを特徴とするカーテンウォール。
【発明の詳細な説明】
【技術分野】
【０００１】
本発明は、カーテンウォールに係わり、特にパネルの下辺を押さえる押縁の構造に関する。
【背景技術】
【０００２】
建物の外壁に取付けられるパネルとして、パネルの下辺を押さえる押縁を室外側から装着するものがある（例えば特許文献１参照）。この特許文献１に記載の押縁は、押縁の上端に室内側に下向きに曲成されて形成された鈎状の係止片を横枠の室外側の上方への突片に係止し、押縁の下部に室内側に突出して設けた係止片を横枠に設けた係止部に嵌合して固定する構造を有している。
【０００３】
【特許文献１】特開２０００−２６５６０７号公報
【発明の開示】
【発明が解決しようとする課題】
【０００４】
カーテンウォールにおいては、美観の向上のため、パネルを保持する枠や押縁の外観上の幅の縮小が求められているが、前記特許文献１に記載のような上下の係止構造を採用するには、アルミニウム合金製押出形材でなる押縁にはある程度の上下幅を必要とするので、上下幅の縮小が困難である。また、押縁を取付ける作業において、横枠に仮止めした状態で押縁が落下すると危険であり、また、落下により押縁が破損するおそれがあるので、仮止め状態での押縁の落下を防止しなければならない。
【０００５】
本発明は、上記事情に鑑みてなされたもので、上下幅の縮小が可能であって、しかも仮止め状態での落下が確実に防止できる押縁を有するカーテンウォールを提供することを目的とする。
【課題を解決するための手段】
【０００６】
請求項１のカーテンウォールは、パネルを左右の縦枠および上下の横枠または無目により囲み、パネルの下側を受ける横枠または無目の室外側に、室外側が開口された空洞部を形成し、
前記空洞部は、その底部内面の室外側に上方に突出した係止受部を有し、
パネルの下辺を室外側から押さえる押縁に、前記空洞部への嵌入部を室内側に突出させ、かつ先端が斜め上向きとなるように曲げた形に形成し、
前記嵌入部の下面に下方に突出した係止突起を設け、
前記押縁が斜めとなり前記嵌入部が前記空洞部へ嵌入された仮止め状態において前記係止突起が前記係止受部に係止されて押縁が外れ止めされる
ことを特徴とする。
【発明の効果】
【０００７】
本発明においては、横枠または無目の空洞部の底部内面に係止受部を設け、その係止受部に押縁の嵌入部の下面に設けた係止突起を係止させることにより、押縁の仮止め状態における押縁の外れ止めがなされるので、押縁の仮止め状態における押縁の落下が防止される。また、この空洞部内で押縁を外れ止めする構造によれば、横枠の外側に押縁の係止部を設けて押縁をその係止部に係止させる場合に比較して、押縁の上下幅を狭幅に形成でき、外観向上に寄与することができる。
【発明を実施するための最良の形態】
【０００８】
図１は本発明によるカーテンウォールの一実施の形態を示す正面図（室外側から見た図）、図２はその縦断面図である。１はガラス等でなるパネル、２、３はパネル１を支持する縦枠および無目である。縦枠２は方立４の室外側の面に取付けられる。方立４は鉄筋コンクリート製床部５に取付け装置６を介して取付けられる。無目３は方立４に取付けられ、横枠７は無目３の室内側の面に取付けられる。９はパネル１の室内側に設けられた珪酸カルシウム等でなる耐火ボードであり、下階から上階への延焼を防止するものであり、この耐火ボード９は上下端を横枠７および方立４に設けたブラケット１０より支持し、左右の中間部を後述の機構により方立４に押しつけて取付けられる。１１はカーテンウォールの一部に開閉可能に取付けられた障子である。
【０００９】
図３はこの実施の形態におけるパネル１の取付け構造を示す縦断面図である。この実施の形態においては、１部が前記開閉可能な障子１１である場合について示すが、このような開閉式障子１１でない嵌め殺し式構造が連続する部分にも適用できる。３Ａ、３Ｂは方立に固定された無目であり、３Ａは嵌め殺し状にパネル１Ａの下辺を押縁１２と共に保持するものである。３Ｂは嵌め殺し状にパネル１Ｂの上辺を保持するものである。
【００１０】
障子１１は左右の縦枠１３と上下の横枠１４とでパネル１Ｃを備えるもので、本実施の形態においては、上下のリンク機構１５、１６により無目３Ａ、３Ｂに開閉可能に取付けられた縦辷り出し窓を構成している。１７はパネル１Ｃの下辺を押さえる押縁である。２５は無目３A、横枠１４の底部に設けた水抜き穴である。
【００１１】
図４は前記押縁１２の無目３Ａに対する取付け構造を示す図である。パネル１Ａは無目３Ａ上にセッティングブロック１９を介して設置される。無目３Ａの室外側には室外側に開口部２０を有する空洞部２１を形成する。この空洞部２１は室内側に断面形状が弧状の内面２１ａを有する。また、底部内面２１ｂの室外側には、上方に突出した係止受部２１ｃを形成する。この係止受部２１ｃは好ましくは上部が室内側に向かうように傾斜した断面形状とする。また、開口部２０の上部には、斜め下方に向けて形成された係止片２１ｄを有する。
【００１２】
一方、パネル１Ａの下辺を押さえる押縁１２の室内側の面に、前記空洞部２１への嵌入部２２を室内側に突出させて形成する。この嵌入部２２は、断面形状が水平部２２ａと斜め上向きに曲成された傾斜部２２ｂを有する曲成形状に形成するか、あるいは先端が斜め上向きとなるように全体に曲成された形状に形成する。また、この嵌入部２２の先端２２ｃは断面形状が円弧状をなすように形成することが嵌入を円滑化する意味で好ましい。また、嵌入部２２の下面に下方に突出した係止突起２２ｄを設ける。
【００１３】
図５は無目３Ａ上にセッティングブロック１９を介してパネル１Ａをセットした後、室外側から嵌入部２２を空洞部２１内に開口部２０から嵌入して押縁１２を仮止した状態を示す。この仮止めに際して、嵌入部２２を空洞部２１に挿入する際には、嵌入部２２の先端２２ｃが弧状をなし、その先端２２ｃが空洞部２１の室内側の弧状をなす内面２１ａに沿って摺動するので、空洞部２１に嵌入部２２が円滑に挿入される。
【００１４】
この押縁１２の仮止め状態においては、押縁１２は上部が室内側に傾いた傾斜姿勢となる。このとき、押縁１２の係止突起２２ｄは空洞部２１の底面の係止受部２１ｃに係止され、押縁１２が空洞部２１から外れ止めされる。従って、押縁１２が仮止め状態で外れて落下する心配がないので、作業者はこの押縁１２を放置して次の作業を任意に選択することができる。なお、前記仮止め状態において、係止突起２２ｄの室外側の面は、図５に示すように、係止受部２１ｃの室内側の傾斜面に合致する傾斜面となるように形成されていることが、押縁１２の振動による浮きを防止し外れを防止する上で好ましい。
【００１５】
続いて図４に示すようにパネル１Ａと押縁１２の上部との間に乾式または湿式のシール材２３を嵌め込む。このシール材２３の施工により、シール材２３の圧力で押縁１２の上部が室外側が外方に押され、嵌入部２２が空洞部２１の係止片２１ｄに当接し、押縁１２の下部２４が無目３Ａの室外側の面に当接した垂直姿勢となる。
【００１６】
このような押縁の取付け構造は、障子１１の押縁１７についても同様に適用される。
【００１７】
本発明においては、無目３Ａの空洞部２１内の底部内面に係止受部２１ｃを設け、その係止受部２１ｃに押縁１２の嵌入部２２の下面に設けた係止突起２２ｄを係止させることで押縁１２の仮止め状態における押縁１２の外れ止めがなされるようにしたので、仮止め状態における押縁１２の落下が防止される。また、このように空洞部２１内で押縁１２を外れ止めをする構造によれば、無目３Ａの外側に押縁の係止部を設けて押縁をその係止部に係止させる場合に比較して、押縁１２の上下幅を狭幅に形成でき、外観向上に寄与することができる。
【００１８】
本発明を実施する場合、無目３Ａ、横枠１４、押縁１２、１７の具体的構造や組み合わせ構造などについては上記実施の形態に限らず、種々の変更、付加が可能である。
【図面の簡単な説明】
【００１９】
【図１】本発明のカーテンウォールの一実施の形態を示す正面図である。
【図２】本実施の形態のカーテンウォールの縦断面図である。
【図３】本実施の形態のパネルの取付け構造を示す縦断面図である。
【図４】図３の要部拡大図である。
【図５】図４に押縁の仮止め状態を示す断面図である。
【符号の説明】
【００２０】
１：パネル、２：縦枠、３、３Ａ、３Ｂ：無目、４：方立、５：床部、６：方立取付け装置、７：横枠、９：耐火ボード、１０：ブラケット、１１：開閉可能な障子、１２：押縁、１３：縦枠、１４：横枠、１５、１６：リンク機構、１７：押縁、１９：セッチングブロック、２０：開口部、２１：空洞部、２１ａ：弧状の内面、２１ｂ：底部内面、２１ｃ：係止受部、２１ｄ：係止片、２２：嵌入部、２２ａ：水平部、２２ｂ：傾斜部、２２ｃ：弧状の先端、２２ｄ：係止突起、２３：シール材
【図１】
2006291624.tif 000003
【図２】
2006291624.tif 000004
【図３】
2006291624.tif 000005
【図４】
2006291624.tif 000006
【図５】
2006291624.tif 000007